(57)【要約】【課題】漏話の影響を小さくすること。【解決手段】Ｎ種の異なる波長の信号光の入力を受け、Ｎ種の波長の信号光の中から一つの信号光を出力する光スイッチと、前記光スイッチを制御する光スイッチ制御部と、を備え、前記光スイッチは、Ｎ種の異なる波長を波長軸方向に並べた際に隣り合う波長の信号光を複数入力して一つの波長の信号光を出力するサブ光スイッチを複数備え、前記サブ光スイッチは、前記Ｎ種の異なる波長の信号光の中から一つの信号光が出力されるように多段に接続され、前記光スイッチ制御部は、前記光スイッチから出力される一つの信号光の波長と比べて波長軸方向でより大きく離れた波長の信号光が出力されるように前記サブ光スイッチを制御する、波長選択モジュール。【選択図】図１
2017053908.tif 000002
【特許請求の範囲】
【請求項１】
Ｎ種の異なる波長の信号光の入力を受け、Ｎ種の波長の信号光の中から一つの信号光を出力する光スイッチと、
前記光スイッチを制御する光スイッチ制御部と、を備え、
前記光スイッチは、Ｎ種の異なる波長を波長軸方向に並べた際に隣り合う波長の信号光を複数入力して一つの波長の信号光を出力するサブ光スイッチを複数備え、前記サブ光スイッチは、前記Ｎ種の異なる波長の信号光の中から一つの信号光が出力されるように多段に接続され、
前記光スイッチ制御部は、前記光スイッチから出力される一つの信号光の波長と比べて波長軸方向でより大きく離れた波長の信号光が出力されるように前記サブ光スイッチを制御する、波長選択モジュール。
【請求項２】
前記Ｎが４である場合、前記光スイッチは、
最も波長が長い信号光である第一信号光と、次に波長が長い信号光である第二信号光と、を入力し、前記第一信号光及び前記第二信号光の一方を出力する第一光スイッチと、
前記第二信号光の次に波長が長い信号光である第三信号光と、四つの信号光の中で最も波長が短い第四信号光と、を入力し、前記第三信号光及び前記第四信号光の一方を出力する第二光スイッチと、
前記第一光スイッチから出力された信号光と、前記第二光スイッチから出力された信号光と、を入力し、いずれか一方を出力する第三光スイッチと、を備え、
前記光スイッチ制御部は、
前記光スイッチから前記第一信号光が出力される場合、前記第一光スイッチについては前記第一信号光が出力されるように制御し、前記第二光スイッチについては前記第四信号光が出力されるように制御し、前記第三光スイッチについては前記第一信号光が出力されるように制御する、請求項１に記載の波長選択モジュール。
【請求項３】
Ｎ種の異なる波長の信号光の入力を受け、Ｎ種の波長の信号光の中から一つの信号光を出力する光スイッチを制御する光スイッチ制御方法であって、
前記光スイッチは、Ｎ種の異なる波長を波長軸方向に並べた際に隣り合う波長の信号光を複数入力して一つの波長の信号光を出力するサブ光スイッチを複数備え、前記サブ光スイッチは、前記Ｎ種の異なる波長の信号光の中から一つの信号光が出力されるように多段に接続され、
前記光スイッチから出力される一つの信号光の波長と比べて波長軸方向でより大きく離れた波長の信号光が出力されるように前記サブ光スイッチを制御する制御ステップ、を有する光スイッチ制御方法。
【発明の詳細な説明】
【技術分野】
【０００１】
本発明は、光通信において用いられる波長選択素子の技術に関する。
【背景技術】
【０００２】
近年、急速なインターネットの普及に伴い、光アクセスシステムの大容量化、高度化、経済化が求められている。そのようなシステムを実現する手法としてＰＯＮ（Passive Optical Network）の研究が進められている。ＰＯＮでは、複数の各ユーザの所在地へ伸びる伝送路が単一の伝送路に集線される。集線には、光パワースプリッタなどの光受動素子が用いられる。このような技術によって、センタ装置と光受動素子との間の伝送路を複数ユーザで共有することが可能となる。そのため、経済的に有利な光アクセス通信システムを提供することが可能となる。
【０００３】
現在の日本では、ＧＥ−ＰＯＮ（Gigabit Ethernet［登録商標］-PON）が導入されている。ＧＥ−ＰＯＮでは、１Ｇｂｐｓ級の回線容量が最大３２ユーザで時分割多重（ＴＤＭ：Time Division Multiplexing）で共有される。このような構成によって、ＦＴＴＨ（Fiber To The Home）サービスがユーザにとって現実的な料金で提供されはじめている。
【０００４】
さらなる大容量化のニーズに対応可能な次世代光アクセスシステムとして、１０Ｇｂｐｓ級の１０Ｇ−ＥＰＯＮの研究が進められている。２００９年には、１０Ｇ−ＥＰＯＮのＩＥＥＥ標準化が完了した。１０Ｇ−ＥＰＯＮでは、光送受信器のビットレート増大により、伝送路部分は既存のＧＥ−ＰＯＮと同一のものを利用しつつも大容量化を図ることが可能となっている。ただし、サービスによっては１０Ｇｂｐｓ級を超える大容量化が求められることも考えられる。しかし、送受信器のビットレートのさらなる高速化（４０または１００Ｇｂｐｓ級）を図るためには、送受信器の大幅なコスト増が課題となっていた。
【０００５】
経済的な大容量化を実現する手段として、帯域要求量に応じて局側装置内の光送受信器を段階的に増設することができるように、光送受信器に波長可変性を付与することが提案されている。より具体的には、ＴＤＭと波長多重（ＷＤＭ：Wavelength Division Multiplexingと）を組み合わせた波長可変型ＷＤＭ／ＴＤＭ−ＰＯＮが報告されている（例えば、特許文献１参照。）。
【先行技術文献】
【特許文献】
【０００６】
【特許文献１】特開平１１−２５２０４６号公報
【発明の概要】
【発明が解決しようとする課題】
【０００７】
波長可変型ＷＤＭ／ＴＤＭ−ＰＯＮでは、加入者装置又は局側装置に波長可変性を有する光送受信器が必要となる。Ｎ種の波長が波長多重化された信号光（以下、「波長多重化光」という。）が波長フィルタで各波長の信号光に分波された後、各波長に対応するＰＤ（Photo Diode）で信号光が電気信号に光電変換される。その後、所望の波長を有する信号光に対応する電気信号が電気スイッチで選択される。このような処理は、波長可変受信器によって実現される。
【０００８】
このような波長可変受信器は、入力される波長多重化光からいずれか一つの波長の信号光を電気信号に変換する。その際、電気信号に変換される信号光の波長に波長順で隣り合う関係にある波長が残存してしまう漏話（クロストーク）現象が生じる場合がある。
上記事情に鑑み、本発明は、漏話の影響を小さくできる技術の提供を目的としている。
【課題を解決するための手段】
【０００９】
本発明の一態様は、Ｎ種の異なる波長の信号光の入力を受け、Ｎ種の波長の信号光の中から一つの信号光を出力する光スイッチと、前記光スイッチを制御する光スイッチ制御部と、を備え、前記光スイッチは、Ｎ種の異なる波長を波長軸方向に並べた際に隣り合う波長の信号光を複数入力して一つの波長の信号光を出力するサブ光スイッチを複数備え、前記サブ光スイッチは、前記Ｎ種の異なる波長の信号光の中から一つの信号光が出力されるように多段に接続され、前記光スイッチ制御部は、前記光スイッチから出力される一つの信号光の波長と比べて波長軸方向でより大きく離れた波長の信号光が出力されるように前記サブ光スイッチを制御する、波長選択モジュールである。
【００１０】
本発明の一態様は、上記の波長選択モジュールであって、前記Ｎが４である場合、前記光スイッチは、最も波長が長い信号光である第一信号光と、次に波長が長い信号光である第二信号光と、を入力し、前記第一信号光及び前記第二信号光の一方を出力する第一光スイッチと、前記第二信号光の次に波長が長い信号光である第三信号光と、四つの信号光の中で最も波長が短い第四信号光と、を入力し、前記第三信号光及び前記第四信号光の一方を出力する第二光スイッチと、前記第一光スイッチから出力された信号光と、前記第二光スイッチから出力された信号光と、を入力し、いずれか一方を出力する第三光スイッチと、を備え、前記光スイッチ制御部は、前記光スイッチから前記第一信号光が出力される場合、前記第一光スイッチについては前記第一信号光が出力されるように制御し、前記第二光スイッチについては前記第四信号光が出力されるように制御し、前記第三光スイッチについては前記第一信号光が出力されるように制御する。
【００１１】
本発明の一態様は、Ｎ種の異なる波長の信号光の入力を受け、Ｎ種の波長の信号光の中から一つの信号光を出力する光スイッチを制御する光スイッチ制御方法であって、前記光スイッチは、Ｎ種の異なる波長を波長軸方向に並べた際に隣り合う波長の信号光を複数入力して一つの波長の信号光を出力するサブ光スイッチを複数備え、前記サブ光スイッチは、前記Ｎ種の異なる波長の信号光の中から一つの信号光が出力されるように多段に接続され、前記光スイッチから出力される一つの信号光の波長と比べて波長軸方向でより大きく離れた波長の信号光が出力されるように前記サブ光スイッチを制御する制御ステップ、を有する光スイッチ制御方法である。
【発明の効果】
【００１２】
本発明により、漏話の影響を小さくすることが可能となる。
【図面の簡単な説明】
【００１３】
【図１】波長可変受信器に用いられる波長選択モジュールの機能構成を表す概略ブロック図である。
【図２】光スイッチ制御部３０の制御の具体例を示す図である。
【図３】出力信号光が波長λ１の信号光である場合の、各サブ光スイッチにおける入力光又は出力光の具体例を示す図である。
【図４】出力信号光が波長λ２である場合の、各サブ光スイッチにおける入力光又は出力光の具体例を示す図である。
【図５】出力信号光が波長λ３である場合の、各サブ光スイッチにおける入力光又は出力光の具体例を示す図である。
【図６】出力信号光が波長λ４である場合の、各サブ光スイッチにおける入力光又は出力光の具体例を示す図である。
【図７】８種の波長（λ１、λ２、λ３、λ４、λ５、λ６、λ７、λ８）が多重化された波長多重化光が入力される波長選択モジュールの波長分波器１０１、光スイッチ１０２及び光スイッチ制御部３０の機能構成を示す概略ブロック図である。
【図８】光スイッチ制御部３０の制御の具体例を示す図である。
【発明を実施するための形態】
【００１４】
図１は、波長可変受信器に用いられる波長選択モジュールの機能構成を表す概略ブロック図である。波長選択モジュールは、Package１０に実装されている。Package１０には、マウント２０及び光スイッチ制御部３０が形成されている。マウント２０には、ＰＬＣ（Planar Lightwave Circuit）４０、光電変換部５０及び増幅部６０が形成されている。マウント２０は、例えばSiO2製のテラスとして構築されてもよい。光スイッチ制御部３０は、ＰＬＣ４０に備えられる光スイッチを制御する。
【００１５】
ＰＬＣ４０は、波長選択モジュールに入力される波長多重化光を受け、波長多重化光に多重化されている複数の信号光のうち一つの信号光を出力する。
【００１６】
光電変換部５０は、例えばＰＤ（PhotoDiode）を用いて構成される。より具体的には、光電変換部５０は、ＡＰＤ（Avalanche PhotoDiode）を用いて構成されてもよい。光電変換部５０は、ＰＬＣ４０によって出力される信号光に基づいて光電変換を行う。光電変換部５０は、光電変換によって生成された電気信号を出力する。
【００１７】
増幅部６０は、例えばＴＩＡ（Trans Impedance Amplifier）を用いて構成される。増幅部６０は、光電変換部５０によって出力される電気信号を増幅する。増幅部６０は、増幅された電気信号を出力する。
【００１８】
次にＰＬＣ４０についてより詳細に説明する。ＰＬＣ４０は、波長分波器１０１及び光スイッチ１０２を備える。波長分波器１０１は、波長選択モジュールに入力される波長多重化光を受け、波長多重化光を分波する。波長分波器１０１は、入力される波長多重化光に多重化されていた各波長の信号光を出力する。本実施形態では、波長多重化光には４種の波長（λ１、λ２、λ３、λ４）の信号光が多重化されている。そのため、波長分波器１０１は、波長λ１の信号光、波長λ２の信号光、波長λ３の信号光及び波長λ４の信号光を出力する。波長λ１が最も長く、次に波長λ２が長く、次に波長λ３が長く、波長λ４が最も短い。波長分波器１０１は、例えばＡＷＧ（Arrayed Waveguide Grating）を用いて構成されてもよい。波長分波器１０１は、例えばＴＦＦ（Thin Film Filter）をＰＬＣ上に形成した溝状のトレンチに配置して構成されてもよい。なお、ＡＷＧを用いる利点は、後述のＴＯＳＷとのモノリシック集積が可能である点にある。すなわち、ＡＷＧの光出力ポートと、光スイッチの入力ポートとの光学調芯が不要となるため、小型化及び経済化に有利な構成である。さらには、ＡＷＧを、温度依存性の極めて小さいＡｔｈｅｒｍａｌ  ＡＷＧとすることにより、ＡＷＧの透過中心波長の温度依存性を極めて小さくできる。さらに、熱電半導体素子のような温度調節素子をPackage内に実装する必要がなくなる。そのため、さらなる小型化及び経済化に有利である。
【００１９】
光スイッチ１０２は、波長分波器１０１によって分波された各波長の信号光を受ける。光スイッチ１０２は、各波長の信号光のうち、光スイッチ制御部３０による制御に応じて一つの波長の信号光を出力する。光スイッチ１０２は、多段階の光スイッチで構成され、各段階でｍ種の波長の信号光の中から一つの波長の信号光を出力する。このような構成により、光スイッチ１０２は最終的に一つの波長の信号光を出力する。
【００２０】
本実施形態では、光スイッチ１０２は、三つのサブ光スイッチ（第一光スイッチ２０１、第二光スイッチ２０２及び第三光スイッチ２０３）を備える。各サブ光スイッチは、例えば熱光学スイッチ（ＴＯＳＷ：Thermo-Optic SWitch）を用いて構成されてもよい。第一光スイッチ２０１には、波長λ１の信号光及び波長λ２の信号光が入力される。第二光スイッチ２０２には、波長λ３の信号光及び波長λ４の信号光が入力される。第三光スイッチ２０３には、第一光スイッチ２０１から出力される信号光と、第二光スイッチ２０２から出力される信号光とが入力される。第一光スイッチ２０１、第二光スイッチ２０２及び第三光スイッチ２０３は、それぞれ光スイッチ制御部３０から出力される制御信号に応じて信号光を出力する。なお、制御信号は、図示はしないが、ＯＬＴ（通信事業者の収容局側端末装置）からＯＮＵ（加入者端末装置）に対して指定された受信波長を、ＯＮＵ内の制御回路により光スイッチ１０２を駆動するための制御信号に変換して供給される。
【００２１】
図２は、光スイッチ制御部３０の制御の具体例を示す図である。光スイッチ制御部３０は、光スイッチ１０２から出力される信号光（以下、「出力信号光」という。）に応じて、各サブ光スイッチを制御する。より具体的には、光スイッチ制御部３０は、出力信号光と同じ波長の信号光（以下、「出力対象信号光」という。）が入力されるサブ光スイッチについては、出力対象信号光が出力されるように制御する。一方、出力信号光と異なる波長の信号光のみが入力されるサブ光スイッチについては、出力信号光の波長と比べて波長軸方向でより大きく離れた波長の信号光が出力されるように制御する。
【００２２】
例えば、出力信号光が波長λ１の信号光である場合、第一光スイッチ２０１は出力対象信号光である波長λ１の信号光が出力されるように制御される。第二光スイッチ２０２は、出力対象信号光である波長λ１の信号光が入力されないため、波長λ１からより大きく離れた波長の信号光である波長λ４の信号光が出力されるように制御される。第三光スイッチ２０３は出力対象信号光であるλ１の信号光が出力されるように制御される。
【００２３】
例えば、出力信号光が波長λ２の信号光である場合、第一光スイッチ２０１は出力対象信号光である波長λ２の信号光が出力されるように制御される。第二光スイッチ２０２は、出力対象信号光である波長λ２の信号光が入力されないため、波長λ２からより大きく離れた波長の信号光である波長λ４の信号光が出力されるように制御される。第三光スイッチ２０３は出力対象信号光であるλ２の信号光が出力されるように制御される。
【００２４】
例えば、出力信号光が波長λ３の信号光である場合、第一光スイッチ２０１には出力対象信号光であるλ３の信号光が入力されない。そのため、波長λ３からより大きく離れた波長の信号光である波長λ１の信号光が出力されるように制御される。第二光スイッチ２０２は出力対象信号光である波長λ３の信号光が出力されるように制御される。第三光スイッチ２０３は出力対象信号光であるλ３の信号光が出力されるように制御される。
【００２５】
例えば、出力信号光が波長λ４の信号光である場合、第一光スイッチ２０１には出力対象信号光であるλ４の信号光が入力されない。そのため、波長λ４からより大きく離れた波長の信号光である波長λ１の信号光が出力されるように制御される。第二光スイッチ２０２は出力対象信号光である波長λ４の信号光が出力されるように制御される。第三光スイッチ２０３は出力対象信号光であるλ４の信号光が出力されるように制御される。
【００２６】
図３は、出力信号光が波長λ１の信号光である場合の、各サブ光スイッチにおける入力光又は出力光の具体例を示す図である。波長λ１、波長λ２、波長λ３及び波長λ４の四つの信号光が多重化された波長多重化光が波長分波器１０１に入力される。第一光スイッチ２０１には、波長λ１及び波長λ２の信号光が入力される。どちらの信号光の強度もこの時点ではあまり減衰していない。第二光スイッチ２０２には、波長λ３及び波長λ４の信号光が入力される。どちらの信号光の強度もこの時点ではあまり減衰していない。第一光スイッチ２０１では、波長λ１の信号光が出力される。この場合、第一光スイッチ２０１では、出力されない信号光が減衰される。具体的には、波長λ２の信号光が減衰される。第二光スイッチ２０２では、波長λ４の信号光が出力される。この場合も同様に、第二光スイッチ２０２では、出力されない信号光が減衰される。具体的には、波長λ３の信号光が減衰される。第一光スイッチ２０１から出力された信号光と、第二光スイッチ２０２から出力された信号光と、が第三光スイッチ２０３に入力される。第三光スイッチ２０３では、波長λ１の信号光が出力される。この場合、第三光スイッチ２０３では、出力されない信号光である波長λ２の信号光、波長λ３の信号光及び波長λ４の信号光が減衰される。その結果、第三光スイッチ出力光として図示される信号光が出力される。第三光スイッチ出力光では、波長λ３の信号光の強度の方が、波長λ４の信号光の強度よりも小さくなっている。波長λ３の信号光の方が、波長λ４の信号光に比べて、出力対象信号光である波長λ１の信号光に波長が近い。そのため、波長λ３の信号光の方が、波長λ４の信号光に比べて出力対象信号光である波長λ１の信号光に漏話しやすい。本実施形態では、出力対象信号光の波長（λ１）よりも離れた波長の信号光（波長λ４）が第二光スイッチ２０２において出力されるため、出力対象信号光に対する漏話の影響を小さくすることが可能となる。なお、図３には比較例として第二光スイッチ２０２において波長λ３の信号光が出力された場合の第三光スイッチ出力光が示されている。このような比較例に比べて、本実施形態における第三光スイッチ出力光の方が漏話の影響が小さい。
【００２７】
例えば、各サブ光スイッチにおいて、出力されるように制御される波長の信号光は減衰せずに出力され、出力されないように制御される波長の信号光は入力時に比べて−２０ｄＢの強度で出力されると仮定する。出力対象光信号が波長λ１の信号光である場合、第一光スイッチ２０１から出力される信号光には、減衰していない波長λ１の信号光と、−２０ｄＢの強度となった波長λ２の信号光とが含まれる。また、第二光スイッチ２０２から出力される信号光には、−２０ｄＢの強度となった波長λ３の信号光と、減衰していない波長λ４の信号光とが含まれる。そして、第三光スイッチ２０３から出力される信号光には、減衰していない波長λ１の信号光と、−２０ｄＢの強度となった波長λ２の信号光と、二度の減衰により−４０ｄＢの強度となった波長λ３の信号光と、−２０ｄＢの強度となった波長λ４の信号光とが含まれる。
【００２８】
図４〜図６は、それぞれ出力信号光が波長λ２〜４である場合の、各サブ光スイッチにおける入力光又は出力光の具体例を示す図である。図４〜図６についての詳細な説明は省略する。
【００２９】
図７は、８種の波長（λ１、λ２、λ３、λ４、λ５、λ６、λ７、λ８）が多重化された波長多重化光が入力される波長選択モジュールの波長分波器１０１、光スイッチ１０２及び光スイッチ制御部３０の機能構成を示す概略ブロック図である。波長分波器１０１は、波長λ１の信号光、波長λ２の信号光、波長λ３の信号光、波長λ４の信号光、波長λ５の信号光、波長λ６の信号光、波長λ７の信号光及び波長λ８の信号光を出力する。波長λ１が最も長く、次に波長λ２が長く、次に波長λ３が長く、次に波長λ４が長く、次に波長λ５が長く、次に波長λ６が長く、次に波長λ７が長く、波長λ８が最も短い。波長分波器１０１は、例えばＡＷＧを用いて構成されてもよい。波長分波器１０１は、例えばＴＦＦをＰＬＣ上に形成した溝状のトレンチに配置して構成されてもよい。なお、ＡＷＧを用いる利点は、後述のＴＯＳＷとのモノリシック集積が可能である点にある。すなわち、ＡＷＧの光出力ポートと、光スイッチの入力ポートとの光学調芯が不要となるため、小型化及び経済化に有利な構成である。さらには、ＡＷＧを、温度依存性の極めて小さいＡｔｈｅｒｍａｌ  ＡＷＧとすることにより、ＡＷＧの透過中心波長の温度依存性を極めて小さくできる。さらに、熱電半導体素子のような温度調節素子をPackage内に実装する必要がなくなる。そのため、さらなる小型化及び経済化に有利である。
【００３０】
光スイッチ１０２は、波長分波器１０１によって分波された各波長の信号光を受ける。光スイッチ１０２は、各波長の信号光のうち、光スイッチ制御部３０による制御に応じて一つの波長の信号光を出力する。光スイッチ１０２は、多段階の光スイッチで構成され、各段階でｍ種の波長の信号光の中から一つの波長の信号光を出力する。このような構成により、光スイッチ１０２は最終的に一つの波長の信号光を出力する。
【００３１】
本実施形態では、光スイッチ１０２は、七つのサブ光スイッチ（第一光スイッチ２０１、第二光スイッチ２０２、第三光スイッチ２０３、第四光スイッチ２０４、第五光スイッチ２０５、第六光スイッチ２０６及び第七光スイッチ２０７）を備える。各サブ光スイッチは、例えば熱光学スイッチ（ＴＯＳＷ：Thermo-Optic SWitch）を用いて構成されてもよい。第一光スイッチ２０１には、波長λ１の信号光及び波長λ２の信号光が入力される。第二光スイッチ２０２には、波長λ３の信号光及び波長λ４の信号光が入力される。第三光スイッチ２０３には、第一光スイッチ２０１から出力される信号光と、第二光スイッチ２０２から出力される信号光とが入力される。第四光スイッチ２０４には、波長λ５の信号光及び波長λ６の信号光が入力される。第五光スイッチ２０５には、波長λ７の信号光及び波長λ８の信号光が入力される。第六光スイッチ２０６には、第四光スイッチ２０４から出力される信号光と、第五光スイッチ２０５から出力される信号光とが入力される。第七光スイッチ２０７には、第三光スイッチ２０３から出力される信号光と、第六光スイッチ２０６から出力される信号光とが入力される。第一光スイッチ２０１、第二光スイッチ２０２、第三光スイッチ２０３、第四光スイッチ２０４、第五光スイッチ２０５、第六光スイッチ２０６及び第七光スイッチ２０７は、それぞれ光スイッチ制御部３０から出力される制御信号に応じて信号光を出力する。なお、制御信号は、図示はしないが、ＯＬＴからＯＮＵに対して指定された受信波長を、ＯＮＵ内の制御回路により光スイッチ１０２を駆動するための制御信号に変換して供給される。
【００３２】
図８は、光スイッチ制御部３０の制御の具体例を示す図である。光スイッチ制御部３０は、光スイッチ１０２から出力される信号光（出力信号光）に応じて、各サブ光スイッチを制御する。より具体的には、光スイッチ制御部３０は、出力信号光と同じ波長の信号光（出力対象信号光）が入力されるサブ光スイッチについては、出力対象信号光が出力されるように制御する。一方、出力信号光と異なる波長の信号光のみが入力されるサブ光スイッチについては、出力信号光の波長と比べて波長軸方向でより大きく離れた波長の信号光が出力されるように制御する。
【００３３】
例えば、出力信号光が波長λ１の信号光である場合、第一光スイッチ２０１は出力対象信号光である波長λ１の信号光が出力されるように制御される。第二光スイッチ２０２は、出力対象信号光である波長λ１の信号光が入力されないため、波長λ１からより大きく離れた波長の信号光である波長λ４の信号光が出力されるように制御される。第三光スイッチ２０３は出力対象信号光であるλ１の信号光が出力されるように制御される。第四光スイッチ２０４は、出力対象信号光である波長λ１の信号光が入力されないため、波長λ１からより大きく離れた波長の信号光である波長λ６の信号光が出力されるように制御される。第五光スイッチ２０５は、出力対象信号光である波長λ１の信号光が入力されないため、波長λ１からより大きく離れた波長の信号光である波長λ８の信号光が出力されるように制御される。第六光スイッチ２０６は、出力対象信号光である波長λ１の信号光が入力されないため、波長λ１からより大きく離れた波長の信号光である波長λ８の信号光が出力されるように制御される。第七光スイッチ２０７は出力対象信号光であるλ１の信号光が出力されるように制御される。
【００３４】
なお、出力信号光が波長λ２〜λ８の信号光である場合の制御内容については、図８に示されるとおりであるため説明を省略する。
【００３５】
このように構成された波長選択モジュールでは、各サブ光スイッチにおいて、出力信号光の波長と比べて波長軸方向でより大きく離れた波長の信号光が出力される。そのため、より早いタイミングで、出力信号光の波長と比べて波長軸方向で近い波長の信号光が減衰される。その結果、漏話の影響を抑えることが可能となる。
【００３６】
＜変形例＞
波長選択モジュールに対して入力される信号光は、多重化されていない信号光であってもよい。例えば、図１に示す実施形態において、波長λ１〜波長λ４の各信号光が予め分波された状態で波長チャネルセレクタ受信器モジュールに入力されてもよい。その場合、波長選択モジュールは、波長分波器１０１を備えなくてもよい。
【００３７】
上記の波長選択モジュールは、ＰＯＮにおける通信器の一部分として用いられてもよいし、ＷＤＭ−ＰＯＮ、ＷＤＭ／ＴＤＭ−ＰＯＮ等の波長多重しているネットワークにおいて用いられてもよい。
【００３８】
上述した実施形態における光スイッチ制御部３０をコンピュータで実現するようにしてもよい。この光スイッチ制御部３０は、ＯＬＴから指定された受信波長に基づいて制御される。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００３９】
以上、この発明の実施形態について図面を参照して詳述してきたが、具体的な構成はこの実施形態に限られるものではなく、この発明の要旨を逸脱しない範囲の設計等も含まれる。
【符号の説明】
【００４０】
１０…Package，  ２０…マウント，  ３０…光スイッチ制御部，  ４０…ＰＬＣ，  ５０…光電変換部，  ６０…増幅部，  １０１波長分波器，  １０２…光スイッチ，  ２０１…第一光スイッチ，  ２０２…第二光スイッチ，  ２０３…第三光スイッチ，  ２０４…第四光スイッチ，  ２０５…第五光スイッチ，  ２０６…第六光スイッチ，  ２０７…第七光スイッチ
【図１】
2017053908.tif 000003
【図２】
2017053908.tif 000004
【図３】
2017053908.tif 000005
【図４】
2017053908.tif 000006
【図５】
2017053908.tif 000007
【図６】
2017053908.tif 000008
【図７】
2017053908.tif 000009
【図８】
2017053908.tif 000010